(57)【要約】【課題】厚み方向の厚みが薄く、センサの地板に対する組み込み方向に自由度をもたせる。【解決手段】開口を有する地板１００と、開口を通過する光量を調整する光量調節部材４００と、光量調節部材を駆動する回転板３００と、地板に対して回転可能に取り付けられ、光量調節部材と回転板を作動可能に保持するカム板５００と、光量調節部材の開放状態を検出するセンサ２００とを有する光量調節装置において、センサを地板の回転板組み込み側から組み込み、センサの接続端子側を突出面として該突出面を地板に当接させるようにしている。【選択図】図１
2007025095.tif 000002
【特許請求の範囲】
【請求項１】
開口を有する地板と、
前記開口を通過する光量を調整する光量調節部材と、
前記光量調節部材を駆動する回転板と、
前記地板に対して回転可能に取り付けられ、前記光量調節部材と前記回転板を作動可能に保持するカム板と、
前記光量調節部材の開放状態を検出するセンサと、
を有する光量調節装置において、
前記センサを前記地板の前記回転板組み込み側から組み込み、前記センサの接続端子側を突出面として該突出面を前記地板に当接させるようにしたことを特徴とする光量調節装置。
【請求項２】
前記カム板に、前記センサが前記回転板に当接するのを防ぐ高さの突起を設けたことを特徴とする請求項１に記載の光量調節装置。
【請求項３】
請求項１または２に記載の光量調節装置を搭載したことを特徴とするレンズ装置。
【請求項４】
請求項３に記載のレンズ装置を具備することを特徴とするカメラ。
【発明の詳細な説明】
【技術分野】
【０００１】
本発明は、絞り装置等の光量調節装置、該光量調節装置を具備するレンズ装置、および、該レンズ装置を具備するカメラに関するものである。
【背景技術】
【０００２】
カメラのレンズに組み込まれる絞り装置には、絞り羽根が開放位置にあるか否かを検出するためのセンサが組み込まれているものがある。このような絞り装置は、絞り開放時に測光を行い、撮影時に開放時の測光値から演算された絞り値に絞り込むという測光・露出のシステムに用いられる。その場合に、上記センサは、正確な露出を得ることができるよう、絞り羽根の初期位置を正確に把握し、撮影時の絞り羽根の位置精度を出すものである。
【０００３】
この種のセンサには、耐久性を考え、非接触の光センサであるフォトインタラプタが一般に使われている。このフォトインタラプタの取り付け方法として、該フォトインタラプタを収納ケースに入れ、環状地板にビス止め構成としたものがある（例えば特許文献１）。この種のビス止め構成では、フォトインタラプタを環状地板に取り付けるために収納ケースとビスという二つの部品を必要としていた。
【０００４】
そこで、部品を減らすため、環状の地板にフォトインタラプタ保持用の爪を一体に形成した従来例がある。この従来構造を図５に示す。図５において、２００はフォトインタラプタであり、不図示の絞り羽根の開放を検出するためのものである。２０２は従来の構造において組立時の突き当て面、２０３はフォトインタラプタ端子２０１の識別のための面取り部である。７００は絞り装置を構成する部品の一つであるカバー板（地板）であり、フォトインタラプタ２００を保持することも兼ねている。７０１，７０２はカバー板７００と一体に構成された爪であり、フォトインタラプタ２００を保持するためのものである。
【０００５】
図６および図７は、図５に示すフォトインタラプタ２００をカバー板７００に取り付けた状態を示す部分拡大図（斜視図および断面図）である。同図において、７０３はフォトインタラプタ２００とフレキシブルプリンテッドサーキット（以下、ＦＰＣと記す）６００を半田付けするための取り付け面である。７０３ａは取り付け面７０３とＦＰＣ６００との間に設けられ、フォトインタラプタ２００の高さ方向の寸法精度のばらつきを調整するための調整部材である。また、３００は回転板であり、不図示のアクチュエータによりある角度の範囲を回転し、回転することで絞り羽根が連動して動き、光量を調整することになる。３０１は遮光板であり、回転板３００と一体構造になっていて、この遮光板３０１がフォトインタラプタ２００の不図示の投光部と受光部の間の光を遮断すると不図示の回路により絞りが開放位置にあると判定できるようになっている。
【０００６】
図６および図７に示すように、フォトインタラプタ２００を爪７０１，７０２で保持するように地板であるカバー板７００に取り付けた後、ＦＰＣ６００をフォトインタラプタ端子２０１に半田付けする。
【特許文献１】特開平７−１９９２７３号公報（図１参照）
【発明の開示】
【発明が解決しようとする課題】
【０００７】
しかしながら、上記図５〜図７に示す従来の絞り装置におけるフォトインタラプタの取り付け構造では、下記のような問題を有していた。
【０００８】
１）フォトインタラプタ２００に部品精度のバラツキを有していた場合、図８に示すように爪７０１が撓み、図７の場合に比べて光軸方向の高さ（絞り装置の厚みが厚く）なっていた。また、このためにＦＰＣ６００の取り付け高さを安定させることができないため、取り付け面７０３と該ＦＰＣ６００との間に厚み調整用の調整部材７０３ａが必要になり、組立作業性の悪いものであった。更に、フォトインタラプタ２００を回転板３００に接触させないため、突き当てとしてカバー板７００にある程度厚みを持ったフォトインタラプタ突き当て部７０４を確保しなければならない。これらの理由により、フォトインタラプタ２００を位置決めするための高さ方向の寸法が一定量必要になるため、絞り装置の厚みが厚くなっていた。
【０００９】
２）爪７０１，７０２が２箇所あるため、爪の周辺には構造上取り付け面７０３を設けることができない。このため、ＦＰＣ６００が撓み、半田付け部の高さが不安定になり易く、半田付けの品質が安定しない。
【００１０】
３）ＦＰＣ６００は爪７０１，７０２でカバー板７００に保持されたフォトインタラプタ２００のフォトインタラプタ端子２０１に挿入され、半田付けで固定される。このため、ＦＰＣ６００にフォトインタラプタ２００の抜け方向に負荷が掛かった際には爪７０１，７０２が外れ、フォトインタラプタ２００がカバー板７００から外れてしまうことがあり、接着剤による固定が必要である。
【００１１】
４）図９は、図５に示すフォトインタラプタ２００をカバー板７００に取り付ける前の状態を見た平面図である。同図において、クロスハッチングした部分はフォトインタラプタ２００の突き当て面２０２と相対するフォトインタラプタ突き当て部７０４を示す。このような構造では、遮光板３０１の回転軌跡の内周側と外周側でフォトインタラプタ突き当て部７０４の面積の大きさが違い、外周側はカバー板７００の爪７０１の横（図中上方向）しか構成できない。フォトインタラプタ２００は図７に示すようにコの字形状であり、回転板３００の遮光板３０１の回転軌跡を内周側と外周側を跨ぐように取り付けられるため、該フォトインタラプタ２００の外周側の当接面積は少なくなっている。詳しくは、図６のようにフォトインタラプタ２００の面取り部２０３をカバー板７００の爪７０２側に来るように取り付けるとガタツキ無く取り付けることができる。しかし、不図示の回路の取り付け位置からの要請によりフォトインタラプタ２００の信号の取り出しを変えたい場合、該フォトインタラプタ２００を１８０度回転させ、爪７０２側に面取り部２０３が来ないように取り付ける必要がある。この必要性に応ずると、外周側の突き当て面にフォトインタラプタ２００の突き当て面２０２が適正に接触することができず、フォトインタラプタ２００はカバー板７００の爪７０１方向に傾いてしまうためにこのような向きで取り付けることは不可能であった。つまり、フォトインタラプタ２００のカバー板７００に対する組込む方向が図７等の方向に決まってしまう。
【００１２】
（発明の目的）
本発明の目的は、厚み方向の厚みが薄く、センサの地板に対する組み込み方向に自由度をもたせることのできる光量調節装置、レンズ装置およびカメラを提供しようとするものである。
【課題を解決するための手段】
【００１３】
上記目的を達成するために、本発明は、開口を有する地板と、前記開口を通過する光量を調整する光量調節部材と、前記光量調節部材を駆動する回転板と、前記地板に対して回転可能に取り付けられ、前記光量調節部材と前記回転板を作動可能に保持するカム板と、前記光量調節部材の開放状態を検出するセンサとを有する光量調節装置において、前記センサを前記地板の前記回転板組み込み側から組み込み、前記センサの接続端子側を突出面として該突出面を前記地板に当接させるようにした光量調節装置とするものである。
【発明の効果】
【００１４】
本発明によれば、厚み方向の厚みが薄く、センサの地板に対する組み込み方向に自由度をもたせることができる光量調節装置、レンズ装置またはカメラを提供できるものである。
【発明を実施するための最良の形態】
【００１５】
本発明を実施するための最良の形態は、以下の実施例に示す通りである。
【実施例】
【００１６】
図１は本発明の一実施例に係わる絞り装置を示す分解斜視図であり、図５に示す絞り装置と同一部品については同一の符号を付してある。
【００１７】
同図において、１００は中央部に光束を通過させる開口を有する地板であるところのカバー板であり、絞り装置の一部を構成する部品であって、フォトインタラプタ２００を保持することも兼ねている。１０１はフォトインタラプタ保持部であり、カバー板１００と一体構造でフォトインタラプタ２００を保持する。１０３はフォトインタラプタ２００と後述の図３に示すＦＰＣ６００を半田付けするためのＦＰＣ取り付け面である。４００は絞り羽根であり、回転板３００の作動に連動し、光量を調整する。５００はカム板であり、絞り装置の一部を構成する部品である。このカム板５００はカバー板１００に対して回転可能に取り付けられ、絞り羽根４００と回転板３００を作動可能に保持する。５０１はフォトインタラプタ２００と回転板３００の接触を防ぐための突起である。
【００１８】
図２は、図１の絞り装置に具備されるフォトインタラプタ取り付け部を拡大して示す斜視図であり、図１の各部品を組み立てた状態を示している。
【００１９】
図３は、同じく図１の絞り装置に具備されるフォトインタラプタ取り付け部を拡大して示す断面図であり、同図において、１０２はフォトインタラプタ突き当て面である。
【００２０】
図４は、同じく図１の絞り装置の構成を示すフォトインタラプタ保持突起の詳細図である。同図において、１０４はフォトインタラプタ保持壁であり、フォトインタラプタ保持部１０１に設けられた４つの壁である。１０５はフォトインタラプタ保持壁１０４と一体のフォトインタラプタ保持突起である。
【００２１】
本発明の実施例においては、カバー板１００にフォトインタラプタ保持部１０１を設け、従来例のカバー板７００に具備されていたフォトインタラプタ突き当て部７０４を廃し、フォトインタラプタ２００を図１の矢印Ａ方向から挿入する構造としている。また、フォトインタラプタ保持部１０１のフォトインタラプタ突き当て面１０２にはフォトインタラプタ端子２０１と干渉しないように貫通穴を開けている。フォトインタラプタ保持部１０１の上面はＦＰＣ取り付け面１０３となり、ＦＰＣ６００を半田付けし易いような平面となっている。
【００２２】
そして、フォトインタラプタ保持壁１０４の４つの壁面それぞれ（２壁面以上であればよい）にフォトインタラプタ２００を保持する突起１０５を設ける。フォトインタラプタ２００の寸法のバラツキをこの突起１０５の潰れで調整し、フォトインタラプタ２００の位置決めを行う。このようにして、フォトインタラプタ端子２０１側をカバー板１００に対する取り付け面とすることができる。
【００２３】
また、フォトインタラプタ２００がカバー板１００（フォトインタラプタ保持部１０１）に組み込まれ、さらに回転板３００、絞り羽４００、カム板５００が組み込まれて絞り装置が形成される。このような絞り装置に、振動、衝撃が加わり、上記の保持が緩んだとき、フォトインタラプタ２００が回転板３００に接触しないように以下のような構造にしている。
【００２４】
１）絞り装置が組み立てられた状態において、フォトインタラプタ２００の直下で回転板３００の作動範囲外に位置するようにカム板５００に突起５０１を設けている。この突起の高さは、図３に示されるようにカバー板１００の回転板３００のスラスト摺動面１０６より高くしてフォトインタラプタ２００と回転板３００の接触を防止している。
【００２５】
２）フォトインタラプタ２００が回転板３００と接触していない状態で、ＦＰＣ６００を取り付け面１０３に密着させて半田付けを行う。半田付け後ではフォトインタラプタ２００が回転板３００方向へ動くことができないため、フォトインタラプタ２００と回転板３００の接触を防止できる。
【００２６】
３）フォトインタラプタ２００とカバー板１００を接着で固定する。
【００２７】
上記の実施例によれば、フォトインタラプタ２００の組み込み基準（突き当て面）をフォトインタラプタ端子２０１側にして、カバー板１００の裏側から組込む構造にしている。これによって、フォトインタラプタ突き当て面１０２とＦＰＣ取り付け面１０３を平行にでき、単純な形状となり、従来よりも絞り装置の厚みを薄くできる。また、フォトインタラプタ２００のカバー板１００への取り付けを回転板３００側から行い、カバー板１００に密着させて位置決めする構造とすることにより、厚みの薄い絞り装置を提供することができた。また、上記の構造からＦＰＣ６００の半田付け部の当接面積を、フオトインタラプタ端子２０１の貫通穴を除いた全面にすることができる。そのため、半田付けの作業性および信頼性が向上し、かつ、ＦＰＣ６００に不用意な力が働いてもフォトインタラプタ２００の外れない構造となった。
【００２８】
また、従来の構造ではフォトインタラプタ２００の取り付け方向は面取り部の存在により一方向であった。しかし、上記の構造としたことにより１８０度反転した方向にも組み込むことが可能になり、絞り装置に具備される制御回路のフォトインタラプタ端子２０１の配線によりフォトインタラプタ２００の取り付け向きを選択可能となった。
【００２９】
また、カム板５００に、フォトインタラプタ２００が回転板３００に当接しない高さの突起５０１を設けている。ことにより、前記のような構造として絞り装置の厚みを薄くした為に何らかの理由によりフォトインタラプタ２００の高さが変化しても、回転板３００がフォトインタラプタ２００に当接して作動不良を起こす事を防止することができる。
【図面の簡単な説明】
【００３０】
【図１】本発明の一実施例に係る絞り装置の構造を示す分解斜視図である。
【図２】図１の絞り装置に具備されるフォトインタラプタの取り付け部を拡大して示す斜視図である。
【図３】図１の絞り装置に具備されるフォトインタラプタの取り付け部を拡大して示す断面図である。
【図４】図１の絞り装置においてフォトインタラプタ保持突起を示す詳細図である。
【図５】従来例の絞り装置の構造を示す斜視図である。
【図６】図５の絞り装置に具備されるフォトインタラプタの取り付け部を拡大して示す斜視図である。
【図７】図５の絞り装置に具備されるフォトインタラプタの取り付け部を拡大して示す断面図である。
【図８】図５の絞り装置に具備されるフォトインタラプタに高さ方向のバラツキがあった場合を説明するための断面図である。
【図９】図５のカバー板に対してフォトインタラプタを取り付ける前の状態を一部拡大して示す平面図である。
【符号の説明】
【００３１】
１００      カバー板
１０１      フォトインタラプタ保持部
１０２      フォトインタラプタ突き当て面
１０３      ＦＰＣ取り付け面
１０４      フォトインタラプタ保持壁
１０５      フォトインタラプタ保持突起
１０６      回転板のスラスト摺動面
２００      フォトインタラプタ
２０１      フォトインタラプタ端子
３００      回転板
３０１      遮光板
４００      絞り羽根
５００      カム板
５０１      突起
６００      ＦＰＣ
【図１】
2007025095.tif 000003
【図２】
2007025095.tif 000004
【図３】
2007025095.tif 000005
【図４】
2007025095.tif 000006
【図５】
2007025095.tif 000007
【図６】
2007025095.tif 000008
【図７】
2007025095.tif 000009
【図８】
2007025095.tif 000010
【図９】
2007025095.tif 000011